(57)【要約】【課題】少ない消費電力で、大きな解除規制力と再ロック防止機能を実現する。【解決手段】案内路に進入する防火扉の突起に押されて回動する捕捉片の回動力を受けてスライドレバー８５が移動することにより、スライドレバー８５とスライドレバー９０との間に掛けられているコイルバネ９６を伸ばして、スライドレバー９０を解除方向、即ち、アーム７５が第２の角度位置へ回動する方向に付勢する。そして、プランジャ１１０への通電で駆動軸１１０ａの突出力を弱めて、ロックレバー１０１を回動駆動し、コイルバネ９６の付勢力でスライドレバー９０を移動させて、アーム７５を第１の角度位置から第２の角度移動へ回動させ、防火扉の突起に対する係支状態を解除するとともに、解除補助アーム１２０を回動させてスライドレバー１３０の移動規制を解除し、制止レバー７０の解除方向の回動を補助し、且つ再ロック防止状態にする。【選択図】図１０
2010133143.tif 000002
【特許請求の範囲】
【請求項１】
防火扉の突起を受け入れるための開口部と、該開口部から受け入れた突起を内部に直線的に案内する案内路とを有するケース（３１、３２）と、
前記ケース内の前記案内路から離間した位置に立設された第１の軸（３４）と、
前記第１の軸に回動自在に取り付けられ、前記案内路と交差する方向に延びた第１腕部と、前記防火扉の突起が前記第１腕部を押して所定位置まで進入したとき、前記開口部寄りの前記案内路と交差する位置まで移動して、前記防火扉の突起の戻りを規制する第２腕部とを有し、該第２腕部が前記案内路から離間する方向に回動付勢された第１の回動レバー（４１、４６）と、
前記ケース内の前記案内路から離間した位置に前記第１の軸と平行に立設された第２の軸（３５）と、
前記第２の軸に回動自在に取り付けられ且つ前記第１の回動レバーの外周部に接する方向に回動付勢され、前記第１の回動レバーの第２腕部が前記案内路に交差する位置まで回動したときに、該第１の回動レバーの外周部に係合して該第１の回動レバーの戻りを規制する第２の回動レバー（７０）と、
前記第１の軸に回動自在に取り付けられ、且つ前記第１の回動レバーと反対方向に回動付勢され、該付勢方向に回動したとき前記第２の回動レバーに当接して、第１の回動レバーの外周部に対する係合を解除させる第３の回動レバー（６０）と、
前記第１の軸の近傍で該第１の軸と直交する方向に設けられた第３の軸（３６）と、
前記第３の軸に回動自在に取り付けられ、前記第３の回動レバーに当接可能な腕部を有し、第１の角度位置にあるときには、前記腕部を前記第３の回動レバーに当接させその回動を規制し、前記第１の角度位置から所定角度回動した第２の角度位置で前記腕部を前記第３の回動レバーから離間させ、その回動規制を解除する第４の回動レバー（７５）と、
非通電時には前記第４の回動レバーを前記第１の角度位置に保持し、通電時には、前記第４の回動レバーを前記第１の角度位置から第２の角度位置まで回動させて、該第４の回動レバーの前記第３の回動レバーに対する回動規制を解除する解除機構とを有する防火扉の係支装置において、
前記解除機構を、
前記第４の回動レバーに一端側が連結され、該第４の回動レバーの角度を変化させる方向にスライド自在に設けられた第１のスライドレバー（９０）と、
前記第１のスライドレバーの近傍に平行に配置され、前記防火扉の突起が進入する際の前記第１の回動レバーの回動力を一端側で受けて、前記第１のスライドレバーに沿ってスライド移動する第２のスライドレバー（８５）と、
前記第１のスライドレバーと第２のスライドレバーの間に掛け渡され、前記第１のスライドレバーを前記第４の回動レバーの前記解除方向に付勢するバネ（９６）と、
前記第１のスライドレバーの他端側と交差状態で係合し、該第１のスライドレバーの移動にともなって回動する第５の回動レバー（１０１）と、
非通電時に前記第５の回動レバーの他端側に駆動軸を当接する状態で突出させて前記第５の回動レバーの回動を規制し、通電されたとき前記駆動軸の突出する力を弱めて前記第５の回動レバーの回動規制を解除するプランジャ（１１０）と、
前記第１のスライドレバーに一端側が係合し、該第１のスライドレバーの移動に伴い該移動方向と直交する軸を中心に回動する第６の回動レバー（１２０）と、
前記第６の回動レバーの近傍でスライド自在に設けられ、第１の位置で前記第６の回動レバーに係合してその移動が規制された状態となり、前記第６の回動レバーの回動により該第６の回動レバーに対する係合が解除されて第２の位置へ移動するように付勢され、前記第１の位置から前記第２の位置へ移動する際に前記第２の回動レバーに対して解除方向の回転力を付与して前記第１の回動レバーの回動規制の解除を補助し、さらに前記第２の位置にある状態で前記第２の回動レバーの回動を規制する第３のスライドレバー（１３０）と、
前記第２の位置にある前記第３のスライドレバーを前記第１の位置に戻して、前記第６の回動レバーに係合させるとともに、前記第２の回動レバーに対する回動規制を解除して、防火扉の突起の挿入に対してロック可能な状態に戻す操作レバー（１５０）とによって構成したことを特徴とする防火扉の係支装置。
【発明の詳細な説明】
【技術分野】
【０００１】
本発明は、ビル等の建造物に設置される防火扉を平常は壁面に係支しておき、火災発生時に遠隔操作等によってその係支を解除して防火扉を閉じるための係支装置において、少ない消費電力で、大きな解除規制力と再ロック防止機能を実現するための技術に関する。
【背景技術】
【０００２】
上記防火扉の係支装置として、本願出願人は次の特許文献１に示された構造の係支装置を提案している。
【０００３】
【特許文献１】特公平３−１９３５０号公報
【０００４】
この特許文献１の係支装置は、ケース内に立設された軸に、略Ｌ字形の回動レバー（係支片、捕捉片）を回動自在に取り付けるとともに、その回動レバーの一方の腕部が防火扉の突起の案内路に交差する状態に回動付勢し、案内路に進入してきた突起で回動レバーの一方の腕部を押して回動させ、他方の腕部が案内路に交差する位置に達したときに、回動レバーの外周部に制止片の係合させて回動レバーの戻りを規制して、突起を係支状態にする。
【０００５】
一方、回動レバーと同心に取り付けられ、回動レバーと反対方向に付勢されているトリガ板の回動を、回動自在なアームの一方の腕部で規制しておき、係支解除時には、アームを回動させて、その一方の腕部によるトリガ板の回動規制を解除して、トリガ板を回動させて、その回転力を制止片に与えて、制止片による回動レバーの回動規制を解除し、防火扉の突起が案内路から抜けようにしている。
【０００６】
なお、上記特許文献１には示されていないが、上記従来装置では、図１６の（ａ）に示すように、コイルバネ２０ａによって突出方向に付勢されている軸２０ｂを通電により引き込むソレノイド２０と、ソレノイド２０の軸２０ｂに一端側が連結され他端側が、アーム１０の他方の腕部１０ｂに係合するスライドレバー２１とによって解除機構が形成されており、図１６の（ｂ）のように、ソレノイド２０に通電してその軸２０ｂを引き込み、スライドレバー２１をスライドさせることでアーム１０を回動させ、アーム１０の一方の腕部１０ａをトリガ板１１から離間させて、その回動規制を解除している。
【発明の開示】
【発明が解決しようとする課題】
【０００７】
ところで、近年の建築基準法改正により、防火扉の設置対象としてエレベータの周囲が追加指定された。
【０００８】
エレベータの周囲は建物の各階毎にあるため、その防火扉の数も多くなり、これを係支する装置の数も必然的に多くなり、係支装置の消費電力の低減、即ち、上記ソレノイド２０の消費電力の低減が望まれている。
【０００９】
ソレノイド２０の電力消費を低減する方法として、コイルバネ２０ａを弱いものにして、少ない電流で軸２０ｂを引き込む方法があるが、コイルバネ２０ａを弱くした場合、地震等による軸２０ｂの長さ方向への外力の印加で、軸２０ｂが引込方向に移動し、防火扉の突起に対する係支状態が解除される恐れがある。
【００１０】
これを防ぐために、例えば図１７に示すように、ソレノイド２０の軸２０ｂと同等のバランス軸２３をソレノイド２０の軸２０ｂに対して平行に配置するとともに、中央部を支点として回動自在なバランスアーム２４の一端側とソレノイド２０の軸２０ｂの先端との間を連結し、バランスアーム２４の他端側とバランス軸２３の先端との間を連結する機構も実現されている。
【００１１】
この機構のようにバランス軸２３を、バランスアーム２４を介してソレノイド２０の軸２０ｂに連結したことで、ソレノイド２０の軸２０ｂをその長さ方向に移動させるような外力Ｆが印加されたとき、バランス軸２３も同時にその外力を同一方向に受けるので、両軸の長さ方向の動きは互いに規制される。
【００１２】
しかし、このようなバランス構造のものでは、通電時にバランスアーム２４を移動させる分の力が必要となり、コイルバネ２０ａを弱くしたことによる電力の低減分が十分に生かされない。
【００１３】
そこでこの問題を解決する技術として、本願出願人は、次の特許文献２において、図１８の（ａ）、（ｂ）のように、案内路に進入する防火扉の突起に押されて回動する回動レバーの回動力を受けてスライドレバー１８５が移動することにより、スライドレバー１８５、１９０との間に掛けられているコイルバネ１９６を伸ばして、スライドレバー１９０を解除方向、即ち、アーム１７５が第２の角度位置（解除位置）へ回動する方向に付勢する。そして、電磁石２０１に対する通電で駆動レバー２０２を回動駆動して、ロックレバー２０７の回動規制およびスライドレバー１９０の移動規制を解除し、コイルバネ１９６の付勢力でスライドレバー１９０を移動させて、アーム１７５を第１の角度位置（ロック位置）から第２の角度位置（解除位置）へ回動させ、防火扉の突起に対する係支状態を解除する機構を提案している。
【００１４】
【特許文献２】特開２００５−２２０６９１号公報
【００１５】
このように、防火扉の突起が進入したときに蓄えたバネの力を利用して、スライドレバー１９０をスライドさせており、電磁石２０１は、このスライドレバー１９０の移動を規制しているロックレバー２０７の規制を解除するためだけに使用されるので、従来のように、ソレノイドによって直接スライドレバーをスライド駆動する機構に比べ、格段にその消費電力を低減することができる。
【００１６】
ところが、近年の建物では防火扉も大型してその重量が大きくなっており、防火扉を係支状態に保持する力（解除規制力）をより大きくする必要がある。しかし、この解除規制力を大きくすると、正規の解除動作に大きなエネルギーが必要となり、そのために消費電力が増える。
【００１７】
また、上記のような防火扉では、係支状態が一旦解除された後に防火扉が再び係支装置側に移動して係支状態に戻ってしまう現象（所謂再ロック）を防止する必要があり、そのためには、電磁石等に対する通電を継続して解除状態を維持しなければならず、さらに消費電力が増大するという問題もあった。
【００１８】
本発明は、これらの問題を解決して、少ない消費電力で、大きな解除規制力と再ロック防止機能を実現した防火扉の係支装置を提供することを目的としている。
【課題を解決するための手段】
【００１９】
前記目的を達成するために、本発明の防火扉の係支装置は、
防火扉の突起を受け入れるための開口部と、該開口部から受け入れた突起を内部に直線的に案内する案内路とを有するケース（３１、３２）と、
前記ケース内の前記案内路から離間した位置に立設された第１の軸（３４）と、
前記第１の軸に回動自在に取り付けられ、前記案内路と交差する方向に延びた第１腕部と、前記防火扉の突起が前記第１腕部を押して所定位置まで進入したとき、前記開口部寄りの前記案内路と交差する位置まで移動して、前記防火扉の突起の戻りを規制する第２腕部とを有し、該第２腕部が前記案内路から離間する方向に回動付勢された第１の回動レバー（４１、４６）と、
前記ケース内の前記案内路から離間した位置に前記第１の軸と平行に立設された第２の軸（３５）と、
前記第２の軸に回動自在に取り付けられ且つ前記第１の回動レバーの外周部に接する方向に回動付勢され、前記第１の回動レバーの第２腕部が前記案内路に交差する位置まで回動したときに、該第１の回動レバーの外周部に係合して該第１の回動レバーの戻りを規制する第２の回動レバー（７０）と、
前記第１の軸に回動自在に取り付けられ、且つ前記第１の回動レバーと反対方向に回動付勢され、該付勢方向に回動したとき前記第２の回動レバーに当接して、第１の回動レバーの外周部に対する係合を解除させる第３の回動レバー（６０）と、
前記第１の軸の近傍で該第１の軸と直交する方向に設けられた第３の軸（３６）と、
前記第３の軸に回動自在に取り付けられ、前記第３の回動レバーに当接可能な腕部を有し、第１の角度位置にあるときには、前記腕部を前記第３の回動レバーに当接させその回動を規制し、前記第１の角度位置から所定角度回動した第２の角度位置で前記腕部を前記第３の回動レバーから離間させ、その回動規制を解除する第４の回動レバー（７５）と、
非通電時には前記第４の回動レバーを前記第１の角度位置に保持し、通電時には、前記第４の回動レバーを前記第１の角度位置から第２の角度位置まで回動させて、該第４の回動レバーの前記第３の回動レバーに対する回動規制を解除する解除機構とを有する防火扉の係支装置において、
前記解除機構を、
前記第４の回動レバーに一端側が連結され、該第４の回動レバーの角度を変化させる方向にスライド自在に設けられた第１のスライドレバー（９０）と、
前記第１のスライドレバーの近傍に平行に配置され、前記防火扉の突起が進入する際の前記第１の回動レバーの回動力を一端側で受けて、前記第１のスライドレバーに沿ってスライド移動する第２のスライドレバー（８５）と、
前記第１のスライドレバーと第２のスライドレバーの間に掛け渡され、前記第１のスライドレバーを前記第４の回動レバーの前記解除方向に付勢するバネ（９６）と、
前記第１のスライドレバーの他端側と交差状態で係合し、該第１のスライドレバーの移動にともなって回動する第５の回動レバー（１０１）と、
非通電時に前記第５の回動レバーの他端側に駆動軸を当接する状態で突出させて前記第５の回動レバーの回動を規制し、通電されたとき前記駆動軸の突出する力を弱めて前記第５の回動レバーの回動規制を解除するプランジャ（１１０）と、
前記第１のスライドレバーに一端側が係合し、該第１のスライドレバーの移動に伴い該移動方向と直交する軸を中心に回動する第６の回動レバー（１２０）と、
前記第６の回動レバーの近傍でスライド自在に設けられ、第１の位置で前記第６の回動レバーに係合してその移動が規制された状態となり、前記第６の回動レバーの回動により該第６の回動レバーに対する係合が解除されて第２の位置へ移動するように付勢され、前記第１の位置から前記第２の位置へ移動する際に前記第２の回動レバーに対して解除方向の回転力を付与して前記第１の回動レバーの回動規制の解除を補助し、さらに前記第２の位置にある状態で前記第２の回動レバーの回動を規制する第３のスライドレバー（１３０）と、
前記第２の位置にある前記第３のスライドレバーを前記第１の位置に戻して、前記第６の回動レバーに係合させるとともに、前記第２の回動レバーに対する回動規制を解除して、防火扉の突起の挿入に対してロック可能な状態に戻す操作レバー（１５０）とによって構成したことを特徴としている。
【発明の効果】
【００２０】
このように、本発明の防火扉の係支装置では、案内路に進入する防火扉の突起に押されて回動する第１の回動レバーの回動力を受けて第２のスライドレバーが移動することにより、第１のスライドレバーと第２のスライドレバーとの間に掛けられているバネを伸ばして、第１のスライドレバーを解除方向、即ち、第４の回動レバーが第２の角度位置へ回動する方向に付勢する。また、第３のスライドレバーには、第２の回動レバーを解除方向に回動かせる方向の力が付与される。そして、プランジャに対する通電で第５の回動レバーの回動規制を解除すると、第１のスライドレバーがバネの付勢力でスライド移動して、第４の回動レバーが第１の角度位置から第２の角度位置へ回動して第３の回動レバーが解除方向に付勢されるとともに、第３のスライドレバーが第１の位置から第２の位置へ移動し第２の回動レバーが解除方向へ付勢されて、第１の回動レバーの回動規制が解除されて、防火扉の突起に対する係支状態が解除される。
【００２１】
また、一度、防火扉の突起に対する係支状態が解除された後に、防火扉の突起が案内路に進入しても、第３のスライドレバーが第２の位置にあって第２の回動レバーの回動が規制された状態にあるため、防火扉が係支状態に戻ってしまう再ロック現象は発生しない。
【００２２】
そして、第３のスライドレバーが第２の位置にあるときに、操作レバーを操作して第３のスライドレバーを第２の位置から第１の位置に戻すことにより、第２の回動レバーの回動規制が解除されて、防火扉を係支状態にすることができる。
【００２３】
このように、防火扉の突起が進入したときに蓄えたバネの力と再ロック防止解除のために操作レバーの操作で蓄えたばねの力とを利用して、第２の回動レバーの解除方向の回動を助長して、第１の回動レバーの回動規制を解除しており、プランジャは、そのトリガとなる第１のスライドレバーの移動を規制している第５の回動レバーを動作させるためだけに使用される。
【００２４】
したがって、防火扉の係支を解除させる外力に耐え得る大きな規制力を与えたとしても、従来より少ない消費電力で解除が可能となる。
【００２５】
また、係支装置に対する係支状態が解除されて防火扉が再び係支装置側に戻ったときに係支状態に戻ってしまう現象（所謂再ロック現象）を防止することができる。
【発明を実施するための最良の形態】
【００２６】
以下、図面に基づいて本発明の実施の形態を説明する。
図１〜図７は、本発明を適用した係支装置３０の構造を示している。
【００２７】
この係支装置３０は、図１に示しているように、上下に重ねられた矩形箱型の下シャーシ３１と上シャーシ３２、および前面板１０３、背面板１０４とにより一体的に構成したケースを有している。
【００２８】
下シャーシ３１は、図２、図３に示しているように、底板３１ａ、前板３１ｂ、後板３１ｃ、左側板３１ｄ、右側板３１ｅとにより形成され、前板３１ｂの中央は、防火扉の突起Ｐを受け入れるための開口を形成するように切欠かれており、底板３１ａの中央には、この開口と連続し防火扉の突起Ｐを内部に直線的に案内する案内路を形成する案内溝３３が形成されている。
【００２９】
この案内溝３３の奥端の近傍で左側板３１ｄ寄りの位置には第１の軸３４が立設され、案内溝３３の入り口近傍の左側方には第２の軸３５が立設されている。
【００３０】
また、第１の軸３４の近傍で且つ後板３１ｃの内壁には、第１の軸３４と直交する第３の軸３６が設けられ、この第３の軸３６には、後述するアーム７５が回動自在に取り付けられている。
【００３１】
第１の軸３４には、この実施形態の第１の回動レバーを構成する係支片４１と捕捉片４６とが重ね合わされて一体化されて回動自在に取り付けられている。
【００３２】
係支片４１は、第１の軸３４を挿通させる穴４２が設けられている基部４１ａと、基部４１ａからほぼ一定幅で案内溝３３と交差し下シャーシ３１の右側板３１ｅ側に延びた第１腕部４１ｂと、基部４１ａから第１腕部４１ｂと直交する方向に延びた第２腕部４１ｃとによって略Ｌ字状に形成されている。
【００３３】
第１腕部４１ｂの先端の後板３１ｃ寄りの側縁には立上げ片４３が形成され、その立上げ片４３の中央にはネジ溝を有する穴４４が設けられている。また、第２腕部４１ｃの先端面には段部４５が形成されている。
【００３４】
一方、捕捉片４６は、第１の軸３４を挿通させる穴４７が設けられている略半円状の基部４６ａと、基部４６ａからほぼ一定幅で案内溝３３と交差して右側板３１ｅ側に延びた第１腕部４６ｂと、基部４６ａから第１腕部４６ｂと直交する方向に延び、さらに第１腕部４６ｂと平行に対向する方向に延びた第２腕部４６ｃとを有している。
【００３５】
捕捉片４６の第１腕部４６ａの中央部および先端部には、立上げ片４８、４９、５０がそれぞれ形成され、立上げ片５０の中央にはネジを挿通させるための穴５１が設けられている。また、基部４６ａの所定位置には立上げ片５２が立設されている。
【００３６】
係支片４１と捕捉片４６は、互いの第１腕部同士、第２腕部同士が重なりあう状態で第１の軸３４に取り付けられ、係支片４１の立上げ片４３の穴４４には、捕捉片４６の立上げ片５０の穴５１を通過するネジ５３が螺着され、そのネジ５３の頭部と捕捉片４６の立上げ片５０との間には、コイルスプリング５４が挟まれている。
【００３７】
係支片４１と捕捉片４６は、このコイルスプリング５４の反発力によって互いに重なりあった状態で一体的に回動できるようになっており、非常時等で防火扉が開く方向に強い力が付与され、コイルスプリング５４の反発力より強い力が捕捉片４６に時計回りに与えたときに、捕捉片４６が時計回りに回動して強制解除できるようになっている。
【００３８】
トリガ板６０は、この実施形態の第３の回動レバーを構成するものであり、略円板状で中央に第１の軸３４を挿通させる穴６１が設けられた基部６１ａと、基部６１ａの外縁から後方に扇状に突出する突出部６１ｂを有し、突出部６１ｂの右縁には、捕捉片４６の基部４６ａの端面に当接可能な立下げ片６２が設けられている。
【００３９】
また、基部６１ａの外縁で突出部６１ｂのほぼ反対側の位置には、立上げ片６３が設けられている。
【００４０】
第１の軸３４の上部には、第１スプリング６５および第２スプリング６６が取り付けられている。
【００４１】
第１スプリング６５の一端は、捕捉片４６の立上げ片４９に掛けられ、他端側は下シャーシ３１の後板３１ｃに掛けられており、係支片４１および捕捉片４６は、この第１スプリング６５によって時計回り（図２において）、即ち、捕捉片４６の第２腕部が案内溝３３から退避する方向に回動付勢される。
【００４２】
第２スプリング６６の一端側は、捕捉片４６の立上げ片４９に掛けられ、他端側はトリガ板６０の立下げ片６２に掛けられており、捕捉片４６に対してトリガ板６０を反時計回り（図２において）に回動付勢する。
【００４３】
一方、第２の軸３５には、この実施形態の第２の回動レバーを構成する制止片７０が回動自在に取り付けられている。
【００４４】
制止片７０は、第２の軸３５を挿通させる穴７１が設けられている基部７０ａと、基部７０ａから係支片４１の第２腕部４１ｃの外周に接する方向に延びた第１腕部７０ｂと、基部７０ａからトリガ板６０の立上げ片６３に当接可能な高さをもって第１の軸３５方向に延びた第２腕部７０ｃと、後述する第３のスライドレバー１３０に当接するために上方に延びた第３腕部７０ｄを有し、第３スプリング７２によって反時計回りに回動付勢されている。
【００４５】
第１腕部７０ｂの先端は、係支片４１の外周に接しており、防火扉の突起Ｐが進入してきて係支片４１と捕捉片４６が反時計回りに回動して、捕捉片４６の第２腕部４６ｃが案内溝３３と交差する位置まで達したときに、係支片４１の外周の段部４５に係合して、係支片４１および捕捉片４６の時計回り（図２において）の回動を規制する。
【００４６】
前記した第３の軸３６に回動自在に取り付けられたアーム７５は、この実施形態の第４の回動レバーを構成するものであり、下シャーシ３１の後板３１ｃに接している基部７５ａと、基部３５ａの側縁から捕捉板４６の基部４６ａの上面に延び、トリガ板６０の突出部６０ｂの端面に当接可能な第１腕部７５ｂと、基部７５ａから上方にＵ字状に延びた第２腕部７５ｃとを有しており、第２腕部７５ｃが直立した第１の角度位置で、第１腕部７５ｂはトリガ板６０の突出部６０ｂの端面に当接する高さとなり、第２腕部７５ｃが第１の角度位置から反時計回りに所定角度回動した第２の角度位置で、第１腕部７５ｂはトリガ板６０の突出部６０ｂより高い位置に移動し、トリガ板６０の回動規制を解除する。
【００４７】
なお、下シャーシ３１の底板３１ａの右側前端および後端には、係支片４１および捕捉片４６の第２腕部側に当接して、その回動範囲を規定するためのストッパ７７、７８が設けられている。また、前板３１ｂの右側には、コイルスプリング５４の弾性復帰力を調整するネジ５３を回すドライバー（図示せず）を通すためのＵ字の切欠７９が設けられている。また、図１のように、前面板１０３にはこの切欠７９と重なる位置に穴１０３ａが設けられている。
【００４８】
このように係支片４１、捕捉片４６および制止片７０が収容されている下シャーシ３１の上に重なり合うように固定された上シャーシ３２は、図４、図５に示しているように、下シャーシ３１と同様に、底板３２ａ、前板３２ｂ、後板３２ｃ、左側板３２ｄ、右側板３２ｅによって浅い矩形箱状に形成されており、前板３２ｂの中央は、下シャーシ３１の前板３１ｂの開口とともに防火扉の突起を受け入れる開口部を形成するために切欠かれており、底板３２ａの中央には、下シャーシ３１の案内溝３３とともに防火扉の突起を内部に案内するための案内溝８０が下面側から形成されている。
【００４９】
上シャーシ３２の底板３２ａの後部左端には、アーム７５の第２腕部７５ｃを通過させ、且つ後述するスライドレバー８５の立下げ片８６を下シャーシ３１内へ通過させるための切欠８１が設けられている。
【００５０】
また、底板３２ａの後部には、一定幅のレバーガイド溝８２が右端から切欠８１まで連続するように形成されている。また、底板３２ａの左部には、制止片７０の第３腕部７０ｃを通過させ且つその動きを規制しないように円弧状に形成された穴８３が設けられている。
【００５１】
レバーガイド溝８２の右端の手前には、後述するロックレバー１０１の一端側を回動自在に支持するための軸８４が立設されている。
【００５２】
レバーガイド溝８２には、２つのスライドレバー８５、９０が上下に重なり合った状態で互いに平行な方向に摺動自在に収容されている。
【００５３】
下側のスライドレバー８５（この実施形態の第２のスライドレバー）は、レバーガイド溝８２の幅よりわずかに狭い幅を有する横長板状に形成され、その一端側（左端側）には、切欠８１を通過して捕捉片４２の立上げ片５２の左側方まで進入する立下げ片８６と、第１立上げ片８７が設けられている。また、スライドレバー８５の他端側（右端側）には第２立上げ片８８が設けられている。
【００５４】
上側のスライドレバー９０（この実施形態の第１のスライドレバー）は、スライドレバー８５と同様に、レバーガイド溝８２の幅よりわずかに狭い幅を有する横長板状に形成され、その一端側には、スライドレバー８５の第１立上げ片８７を通過させるスリット９１が長手方向に形成され、その側部にはアーム７５のＵ字状の第２腕部７５ｃに係合する係合片９２が形成され、その反対側の側部には後述する解除補助アーム（第６の回動レバー）１２０と係合する係合片９８が形成されている。
【００５５】
また、スライドレバー９０の中央部には第１立上げ片９３が設けられ、その第１立上げ片９３から他端までの間には、スライドレバー８５の第２立上げ片８８を通過させる長穴９４が長手方向に形成されている。さらに、スライドレバー９０の他端側には第２立上げ片９５が形成されている。
【００５６】
スライドレバー８５の第１立上げ片８７とスライドレバー９０の第１立上げ片９３の間には、解除用のコイルバネ９６が掛け渡され、スライドレバー８５の第２立上げ片８８とガイド溝８２の右端に立設されたフック１４０との間には、復帰用のコイルバネ９７が掛け渡されている。
【００５７】
したがって、スライドレバー８５はコイルバネ９７により右方に付勢され、スライドレバー９０は、コイルバネ９６によって左方（スライドレバー８５の第１立上げ片８７側）に付勢されている。
【００５８】
レバーガイド溝８２の上部には、スライドレバー８５、９０の浮きを抑えるためのレバー抑え９９が取り付けられている。
【００５９】
また、軸８４に一端側を回動自在に支持されたロックレバー１０１は、この実施例の第５の回動レバーを構成するものであり、スライドレバー９０の他端側と交差するように延びており、その中間部外縁に、スライドレバー９０の他端側の第２立上げ片９５の先端に係合する切欠部１０１ａが形成されている。
【００６０】
一方、レバー抑え９９の上方にはプランジャ１１０が配置されている。プランジャ１１０は、下シャーシ３１と上シャーシ３２の背面側を連結する背面板１０４に対して横向きに且つその駆動軸１１０ａの先端がロックレバー１０１の先端に当接する位置に固定されている。
【００６１】
プランジャ１１０は、非通電時に駆動軸１１０ａを突出させた状態に保持し、通電されると駆動軸１１０ａを突出させる力を弱め、弱い力で内部に引っ込むように移動する。
【００６２】
したがって、プランジャ１１０が非通電状態のときには、ロックレバー１０１の回動が規制された状態となり、通電状態となって駆動軸１１０ａを突出させる力が弱くなると、駆動軸１１０ａ内部に移動して、ロックレバー１０１の回動規制が解除される。
【００６３】
なお、このプランジャ１１０は、図６に示すように、奥端に設けられた永久磁石１１０ｂの磁力を外周の鉄枠１１０ｃを介して前端の軸受１１０ｄに与え、この軸受１１０ｄに内部の可動鉄心１１０ｅの前端を強力に吸着し、可動鉄心１１０ｄに圧入されている駆動軸１１０ａを突出状態に保持する。そして、コイル１１０ｆへの通電により永久磁石１１０ｂの磁力を打ち消し、軸受１１０ｄと可動鉄心１１０ｅとの吸着を解除し、駆動軸１１０ａの先端側に加えられた弱い力で可動鉄心１１０ｅを奥側へ移動させて駆動軸１１０ａを内部に押し込むことができるようになっており、コイル１１０ｆに対して少ない供給電流で駆動軸１１０ａの内部への移動を可能にしている。なお、バネ１１０ｇは、コイル１１０ｆの通電を停止したあとに可動鉄心１１０ｅを軸受１１０ｄ側に移動させて吸着させるためのものである。
【００６４】
また、この駆動軸１１０ｄに先端側を接して押しているロックレバー１０１は、その先端と回動支点との間でスライドレバー９０を付勢しているコイルバネ９６の力を受けているので、先端部から駆動軸１１０ｄにかかる力を弱めることができる。したがって、永久磁石１１０ｂによる吸着力は小さくて済み、この吸着を解除するために必要な電流も少なくすることが可能である。実際に用いたプランジャ１１０では、３０ｍＡ程度の電流により吸着を解除でき、従来のソレノイドを用いた機構で要求される電流の１／１０程度でロック解除が可能となる。
【００６５】
このプランジャ１１０の側部には、解除補助と再ロック防止の機能を与える解除補助アーム１２０とスライドレバー１３０が取り付けられている。
【００６６】
解除補助アーム１２０は、この実施形態の第６の回動レバーを構成するものであり、基部１２０ａがネジ１２５によりプランジャ１１０の側部の一端側に回動自在に支持され、基部１２０ａから下方に延びた第１腕部１２０ｂに形成された切欠１２１に、スライドレバー９０の一端側の係合片９８を受け入れ、スライドレバー９０の移動に伴い、その移動方向と直交する軸を中心に回動する。
【００６７】
また、基部１２０ａの左方には、スライドレバー１３０と係合し、スライドレバー１３０の移動を規制するロック片１２２が屈曲形成されている。
【００６８】
スライドレバー１３０は、この実施形態の第３のスライドレバーを構成するものであり、一端側が解除補助アーム１２０の基部１２０ａと重なり合う状態で、プランジャ１１０の側部にスライド自在に支持されている。
【００６９】
即ち、スライドレバー１３０の一端側には、ネジ１２５の軸部を受け入れる横長の切欠１３１が形成され、他端側にはプランジャ１１０の側部に立設されたガイドピン１２６を受け入れる横長の切欠１３２が形成されており、ネジ１２５およびガイドピン１２６をガイドとしてスライド移動自在に支持されている。
【００７０】
スライドレバー１３０の中央にはバネ掛け用のフック１３３が形成され、このフック１３３とガイドピン１２６との間にはコイルバネ１３５が掛け渡されている。
【００７１】
また、切欠１３１の左端下縁には、解除補助アーム１２０のロック片１２２に係合する段部１３７が形成されている。また、スライドレバー１３０の一端側にはスライド方向に直交し、且つ制止片７０の第３腕部７０ｄに当接するように延びた係合片１３８が設けられている。
【００７２】
さらに、スライドレバー１３０の中央部の下縁には、一度防火扉の突起に対するロックが解除されて再ロックが防止された状態からロック可能な状態に復帰させるために外部から押し込み操作する操作レバー１５０と係合する係合片１３９が延びている。
【００７３】
操作レバー１５０は、図７に示しているように、略長方形の基板１５１と、基板１５１の前端左部から上方に延びた立上げ片１５２と、立上げ片１５２の先端から前方へ延びた突出片１５３と、基板１５１の右側から下方に延びた側板１５４とを有している。また、基板１５１の後端右部にはバネ掛け用のフック１５５が立設されている。
【００７４】
基板１５１の後端左部は、前後方向に対して４５度の角度をなす傾斜縁部１５１ａが形成されており、基板１５１の前端右部には、Ｕ字状の切欠１５１ｂが設けられている。
【００７５】
操作レバー１５０の突出片１５３は前面板１０３を通過して、外部へ突出したその先端には押し操作が楽に行えるように幅広の押し板１５９がネジ止めされている。
【００７６】
この操作レバー１５０は、基板１５１の左縁部を上シャーシ３２に前後方向に形成されたガイドリブ１６１に接し、基板１５１の右側の側板１５４を上シャーシ３２に隙間を持って平行に形成されたガイドリブ１６２、１６３の間に挟まれ、さらにガイドリブ１６２の上にネジ止めされた押さえ板１６４により浮きが防止された状態で、前後方向（案内溝８０の方向）にスライドできるように支持されている。
【００７７】
操作レバー１５０は、フック１５５と上シャーシ３２の前板部分に立設されたピン１６５との間に掛けられたコイルバネ１６７により前方（外部側）へ突出する方向に付勢されている。操作レバー１５０の傾斜縁部１５１ａは、スライドレバー１３０が左端側にロックされているときには係合片１３９と十分離間しており、スライドレバー１３０が右端側に移動したときには係合片１３９と接する状態となり、操作レバー１５０の押し込み操作により、スライドレバー１３０を左端側へ戻すことができるようになっている。
【００７８】
したがって、スライドレバー１３０の段部１３７と解除補助アーム１２０のロック片１２２が係合して、スライドレバー１３０の移動が規制された状態（これを第１の位置とする）から、プランジャ１１０への通電による防火扉の突起に対するロック解除がなされ、スライドレバー９０の戻りにより解除補助アーム１２０が回動し、解除補助アーム１２０とスライドレバー１３０との係合が解除されると、スライドレバー１３０がコイルバネ１３５に付勢されてロックレバー１０１方向へスライド移動し、その力を係合片１３８から第３腕部７０ｄを介して制止片７０に与え、制止片７０の解除方向への戻りを助長し、係止片４１および補足片４６に対する回動規制の解除を補助する。
【００７９】
また、スライドレバー１３０がロックレバー１０１側（右端側）に完全に移動した状態（これを第２の位置とする）では、スライドレバー１３０の係合片１３８により制止片７０の回動が規制された状態となり、防火扉の突起を再度挿入してもロック状態にならない。つまり、再ロック防止状態となる。
【００８０】
そして、この状態から、操作レバー１５０を奥に押し込むと、スライドレバー１３０が一端側即ち、解除補助アーム１２０側にスライドし、その段部１３７に解除補助アーム１２０のロック片１２２が係合して前記第１の位置に戻り、他端側への戻りが規制された状態となり、さらに、制止片７０に対する回動規制が解除され、防火扉の突起を挿入したときにロック可能な状態に復帰する。
【００８１】
以上のように構成された係支装置３０では、係支解除状態においては、図２に示したように、捕捉片４６の第２腕部４６ｃは、案内溝３３、８０の左方に退避し、第１腕部４６ａが案内溝３３、８０と斜めに交差している。
【００８２】
また、この状態でアーム７５は直立した第１の角度位置にあり、その第１腕部７５ｂは、トリガ板６０の突出部６０ｂに当接してその回動を規制する状態になっている。なお、以下の動作説明では、係支片４１は捕捉片４６と一体的に動くものとして説明する。
【００８３】
この係支解除状態の係支装置３０に、防火扉の突起Ｐが進入すると、図８に示すように、突起Ｐによって捕捉片４６の第１腕部４６ｂが後方に押され、第１スプリング６５の付勢力に抗して反時計回りに回動する。
【００８４】
このとき、トリガ板６０の突出部６０ｂにはアーム７５の第１腕部７５ｂに当接しているため、トリガ板６０は回動しない。
【００８５】
そして、図９のように、防火扉の突起Ｐに押された捕捉片４６の第１腕部４６ｂが案内溝３３、８０とほぼ直交する位置まで回動すると、係支片４１の段部４５に制止片７０の第１腕部７０ｂが係合して、捕捉片４６の戻りが規制された状態となる。このとき、捕捉片４６の第２腕部４６ｃが案内溝３３、８０とほぼ直交するように交差するので、防火扉の突起Ｐは、案内溝３３、８０から抜けない状態に係支され、防火扉が開いた状態（平常時）となる。
【００８６】
一方、上記のように捕捉片４６が突起Ｐに押されて反時計回りに回動するとき、捕捉片４６の立上げ片５２が左方に回動移動して、図１０の（ａ）に示すように、スライドレバー８５を左方にスライドさせる。
【００８７】
このスライドレバー８５の左方への移動に伴い、コイルバネ９６で連結されているスライドレバー９０も左方に移動しようとするが、その立上げ片９５に係合しているロックレバー１０１の先端がプランジャ１１０の駆動軸１１０ａの先端に当接していてその回動が規制されているので、スライドレバー９０は移動できない。
【００８８】
したがって、スライドレバー８５は、コイルバネ９６、９７を引き延ばしながら、捕捉片４６によって防火扉の突起Ｐが係支された状態となるまでスライド移動する。
【００８９】
また、一方、係支前の状態において制止レバー７０の第３腕部７０ｄは、図１１の（ａ）のようにスライドレバー１３０の係合片１３８と離間しているが、係止状態になって制止レバー７０が反時計回りに回動し、図１１の（ｂ）のように、その第３腕部７０ｄがスライドレバー１３０の係合片１３８にほぼ接した状態となる。
【００９０】
そして、この係支状態から、プランジャ１１０に通電がなされると、図１０の（ｂ）のように、その駆動軸１１０ａを突出状態に保持する力がなくなって内側に押されて、突起Ｐを係支する際に引き延ばされたコイルバネ９６の復帰力によりロックレバー１０１が反時計回りに回動し、スライドレバー９０が左方に移動してアーム７５を第１の角度位置から第２の角度位置へ回動させる。また係合片９８の移動により解除補助アーム１２０を回動させる。
【００９１】
これにより、図１２のように、トリガ板６０の回動規制が解除され、そのトリガ板６０の回動力を受けた制止片７０が時計回りに回動して係支片４１の回動規制を解除する。
【００９２】
また、このとき、解除補助アーム１２０が図１１の（ｃ）のように時計回りに回動し、スライドレバー１３０との係合を解除するので、スライドレバー１３０は右方へ移動する。
【００９３】
このため、スライドレバー１３０の係合片１３８により制止片７０の第３腕部７０ｄが右方に押され、これにより、制止片７０の時計回り（解除方向）の回動が助長され、係支片４１の解除方向の回動が補助される。
【００９４】
この係支片４１の回動規制の解除により、図１３のように、係支片４１と捕捉片４６とが一体的に時計回りに回動して、その第２腕部４６ｃを案内溝３３、８０の側方へ退避させ、防火扉の突起Ｐを案内溝３３、８０から抜け出させ、係支解除状態に戻る。
【００９５】
また、捕捉片４６の時計回りの回動により立上げ片５２が右方へ戻り、スライドレバー８５は、コイルバネ９７の復帰力により立上げ片５２に追従して右方に戻るので、スライドレバー９０もこれに追従して右方に戻り、ロックレバー１０１が非通電状態に戻ったプランジャ１１０から突出する駆動軸１１０ａに押されて時計回りに回動し、ロック前の状態に戻る。
【００９６】
ただし、このとき、図１４に示しているように、スライドレバー１３０は右端（第２の位置）にあって、制止片７０の反時計回りの回動を規制しているので、防火扉の突起Ｐが再挿入されても係支状態にはならない（再ロック防止状態）。
【００９７】
そして、この状態から、図１５のように、操作レバー１５０を奥に押し込むと、スライドレバー１３０が左端側即ち、解除補助アーム１２０側にスライドし、その段部１３７に解除補助アーム１２０のロック片１２２が係合して前記第１の位置に戻り、他端側への戻りが規制された状態となり、さらに、制止片７０に対する回動規制が解除され、防火扉の突起を挿入したときにロック可能な状態に復帰する。
【００９８】
以上説明したように、この係支装置３０では、防火扉の突起Ｐが進入する際に押されて回動する捕捉片４６の回動力を受けてスライドレバー８５が移動することにより、スライドレバー８５とスライドレバー９０との間に掛けられているコイルバネ９６を引き延ばして、スライドレバー９０を解除方向、即ち、アーム７５が第２の角度位置へ回動する方向に付勢する。そして、プランジャ１１０に対する通電によりロックレバー１０１の回動規制およびスライドレバー９０の移動規制を解除し、コイルバネ９６に蓄積した付勢力でスライドレバー９０を移動させて、アーム７５を第２の角度位置へ回動させるとともに、再ロック防止状態からの解除に用いるスライドレバー１３０の付勢力を制止片７０に解除方向への力として直接付与してその回動を助長させて、係止片４１および補足片４６による防火扉の突起Ｐに対する係支状態を解除している。
【００９９】
したがって、解除に必要な力は小さくても、防火扉の突起に対する強い係支力を与えることができる。
【０１００】
また、この実施形態のように、永久磁石による吸着力で駆動軸を突出状態に保持し、コイルの通電により永久磁石による吸着力を打ち消すことで駆動軸を内側へ移動させる構造のプランジャ１１０を用いた場合、より少ない電流でロック解除が可能となり省電力化できる。
【０１０１】
なお、本発明は上記実施形態に限定されるものではなく、各レバーの形状、係合構造、配置等は種々変更することが可能であり、例えば、前記実施形態では、ロックレバー１０１の一端側にその回動支点を設けていたが、回動支点を中間部に設けてもよい。
【図面の簡単な説明】
【０１０２】
【図１】本発明の実施形態の係支装置を正面上方から見た図
【図２】実施形態の下シャーシ内の構造を示す図
【図３】実施形態の下シャーシ内の構造を示す分解図
【図４】実施形態の上シャーシ内の構造を示す図
【図５】実施形態の上シャーシ内の構造を示す分解図
【図６】実施形態に用いたプランジャの内部構造図
【図７】実施形態に用いた操作レバーの構造図
【図８】実施形態の下シャーシ内の各部の係支状態までの動作を説明するための図
【図９】実施形態の下シャーシ内の各部の係支状態までの動作を説明するための図
【図１０】実施形態の解除機構の動作を説明するための図
【図１１】実施形態の解除機構の動作を説明するための図
【図１２】実施形態の下シャーシ内の各部の解除状態までの動作を説明するための図
【図１３】実施形態の下シャーシ内の各部の解除状態までの動作を説明するための図
【図１４】実施形態の解除後の上シャーシ内の各部状態を示す図
【図１５】実施形態の操作レバーによる復帰動作を説明するための図
【図１６】従来の解除機構の動作説明図
【図１７】バランス形の解除機構の構成図
【図１８】特許文献の従来技術を説明するための概略構成図
【符号の説明】
【０１０３】
３０……係支装置、３１……下シャーシ、３２……上シャーシ、３３……案内溝、３４……第１の軸、３５……第２の軸、３６……第３の軸、４１……係支片、４１ａ……基部、４１ｂ……第１腕部、４１ｃ……第２腕部、４２……穴、４３……立上げ片、４５……段部、４６……捕捉片、４６ａ……基部、４６ｂ……第１腕部、４６ｃ……第２腕部、４７……穴、４８〜５０……立上げ片、５２……立上げ片、６０……トリガ板、６０ａ……基部、６０ｂ……突出部、６１……穴、６２……立下げ片、６３……立上げ片、７０……制止片、７０ａ……基部、７０ｂ……第１腕部、７０ｃ……第２腕部、７０ｄ……第３腕部、７５……アーム、７５ａ……基部、７５ｂ……第１腕部、７５ｃ……第２腕部、８０……案内溝、８１……切欠、８２……レバーガイド溝、８５……スライドレバー、９０……スライドレバー、９６……コイルバネ、１０１……ロックレバー、１０３……前面板、１０４……背面板、１１０……プランジャ、１２０……解除補助アーム、１３０……スライドレバー、１５０……操作レバー
【図１】
2010133143.tif 000003
【図２】
2010133143.tif 000004
【図３】
2010133143.tif 000005
【図４】
2010133143.tif 000006
【図５】
2010133143.tif 000007
【図６】
2010133143.tif 000008
【図７】
2010133143.tif 000009
【図８】
2010133143.tif 000010
【図９】
2010133143.tif 000011
【図１０】
2010133143.tif 000012
【図１１】
2010133143.tif 000013
【図１２】
2010133143.tif 000014
【図１３】
2010133143.tif 000015
【図１４】
2010133143.tif 000016
【図１５】
2010133143.tif 000017
【図１６】
2010133143.tif 000018
【図１７】
2010133143.tif 000019
【図１８】
2010133143.tif 000020